(57)【要約】【課題】  蓄電装置の小型、軽量化を図る。【解決手段】  軸線方向の一端側に正極端子、他端側に負極端子を備えたキャパシタ２を、上下２段に配置するとともに各段に６個配置し、これらキャパシタ２を電気的に接続してなる蓄電装置１Ａであって、上下のキャパシタ２，２は正極端子と負極端子との嵌合によって電気的に接続され、上下のキャパシタ２，２の嵌合した正極端子と負極端子を貫通させるとともにキャパシタ２を位置決めする中間プレート５０と、上段のキャパシタ２の一方の端子に電気的に接続されるアッパープレート２０と、下段のキャパシタ２の一方の端子に電気的に接続されるロアプレート７０と、を備え、全てのキャパシタ２がアッパープレート２０とロアプレート７０との間に挟装されている。【選択図】    図１
2006324060.tif 000002
【特許請求の範囲】
【請求項１】
軸線方向の一端側に正極端子、他端側に負極端子を備えた蓄電素子を、前記軸線方向に沿って複数配置するとともに該軸線方向と交差する方向に沿って複数配置し、これら蓄電素子を電気的に接続してなる蓄電装置であって、
前記軸線方向に沿って隣り合う蓄電素子同士は、一方の蓄電素子の正極端子と他方の蓄電素子の負極端子との嵌合によって電気的に接続され、
前記軸線方向に沿って隣り合う蓄電素子同士の嵌合した端子を貫通させるとともに該蓄電素子を位置決めする中間プレートと、
前記軸線方向の一方端に配置される蓄電素子の一方の端子に電気的に接続されるアッパープレートと、
前記軸線方向の他方端に配置される蓄電素子の一方の端子に電気的に接続されるロアプレートと、
を備え、全ての前記蓄電素子が前記アッパープレートと前記ロアプレートとの間に挟装されていることを特徴とする蓄電装置。
【請求項２】
前記アッパープレートと前記ロアプレートには、隣り合う前記蓄電素子を電気的に接続する接続部材が設けられ、全ての蓄電素子が直列に接続されていることを特徴とする請求項１に記載の蓄電装置。
【請求項３】
前記中間プレートは、該中間プレートを貫通し嵌合する前記端子に接続される電圧検出端子を備えることを特徴とする請求項１に記載の蓄電装置。
【発明の詳細な説明】
【技術分野】
【０００１】
この発明は、多数の蓄電素子を電気的に接続してなる蓄電装置に関するものである。
【背景技術】
【０００２】
蓄電素子を多数直列に接続して所望の電圧の蓄電装置を構成する技術は従来から知られている。
例えば、特許文献１には、直方体形状の蓄電池の隣り合う面に互いに異なる極の端子を設け、端子を接続して複数の蓄電池を１つの蓄電装置にする技術が開示されている。
【特許文献１】実公平７−３３３７０号公報
【発明の開示】
【発明が解決しようとする課題】
【０００３】
しかしながら、前記従来の蓄電装置は、端子の接続だけで蓄電池同士の電気的接続と機械的連結を行っているので、蓄電池同士の相互位置関係がずれ易く、したがって蓄電装置が歪み易かった。また、このような蓄電装置の歪みを阻止するために蓄電装置全体を匡体に収容する方法も考えられるが、そのようにすると、装置が大型化し、重量も増大してしまう。
そこで、この発明は、多数の蓄電素子の集合体ながら、形状が安定し、小型、軽量化を図ることができる蓄電装置を提供するものである。
【課題を解決するための手段】
【０００４】
上記課題を解決するために、請求項１に係る発明は、軸線方向の一端側に正極端子（例えば、後述する実施例における正極端子８ｂ）、他端側に負極端子（例えば、後述する実施例における負極端子９ｂ）を備えた蓄電素子（例えば、後述する実施例におけるキャパシタ２）を、前記軸線方向に沿って複数配置するとともに該軸線方向と交差する方向に沿って複数配置し、これら蓄電素子を電気的に接続してなる蓄電装置（例えば、後述する実施例における蓄電装置１Ａ，１Ｂ）であって、前記軸線方向に沿って隣り合う蓄電素子同士は、一方の蓄電素子の正極端子と他方の蓄電素子の負極端子との嵌合によって電気的に接続され、前記軸線方向に沿って隣り合う蓄電素子同士の嵌合した端子を貫通させるとともに該蓄電素子を位置決めする中間プレート（例えば、後述する実施例における中間プレート５０，２００）と、前記軸線方向の一方端に配置される蓄電素子の一方の端子に電気的に接続されるアッパープレート（例えば、後述する実施例におけるアッパープレート２０，１００）と、前記軸線方向の他方端に配置される蓄電素子の一方の端子に電気的に接続されるロアプレート（例えば、後述する実施例におけるロアプレート７０，３００）と、を備え、全ての前記蓄電素子が前記アッパープレートと前記ロアプレートとの間に挟装されていることを特徴とする蓄電装置である。
このように構成することにより、軸線方向に沿って隣り合う蓄電素子が中間プレートによって位置決めされているので、蓄電素子同士の相対的な位置関係がずれなくなり、蓄電装置の全体形状が安定する。また、全ての蓄電素子がアッパープレートとロアプレートとの間に挟装された構造にされているので、蓄電装置の小型・軽量化を図ることができる。
【０００５】
請求項２に係る発明は、請求項１に記載の発明において、前記アッパープレートと前記ロアプレートには、隣り合う前記蓄電素子を電気的に接続する接続部材（例えば、後述する実施例におけるバスバー４０，９０Ｂ，９０Ｃ１５０，３８０Ａ〜３８０Ｈ）が設けられ、全ての蓄電素子が直列に接続されていることを特徴とする。
このように構成することにより、高電圧の蓄電装置を小型・軽量に構成することができる。
【０００６】
請求項３に係る発明は、請求項１に記載の発明において、前記中間プレートは、該中間プレートを貫通し嵌合する前記端子に接続される電圧検出端子（例えば、後述する実施例における端子体６０，２２０）を備えることを特徴とする。
このように構成することにより、蓄電装置を複数の単位に分けて単位毎に電圧の検出をすることができる。
【発明の効果】
【０００７】
請求項１に係る発明によれば、蓄電素子同士の相対的な位置関係がずれなくなるので、蓄電装置の全体形状が安定する。また、蓄電装置の小型・軽量化を図ることができる。
請求項２に係る発明によれば、高電圧の蓄電装置を小型・軽量に構成することができる。
請求項３に係る発明によれば、蓄電装置を複数の単位に分けて単位毎に電圧の検出をすることができるので、蓄電装置に対する電圧管理を細かく行うことが可能になる。
【発明を実施するための最良の形態】
【０００８】
以下、この発明に係る蓄電装置の実施例を図１から図３７の図面を参照して説明する。
［実施例１］
初めに、この発明に係る蓄電装置の実施例１を図１から図１９の図面を参照して説明する。
図１は実施例１の蓄電装置１Ａの外観斜視図であり、蓄電装置１Ａは、アッパープレート２０とロアプレート７０との間に、１２個の蓄電素子としてのキャパシタ２，２・・・が挟装されて構成されている。また、キャパシタ２，２・・・は上下２段に配列されるとともに、各段に６個ずつ配列されており、上段６個のキャパシタ２，２・・・と下段６個のキャパシタ２，２・・・との間に中間プレート５０が配置されている。
【０００９】
初めに、キャパシタ２について説明する。図２に示すように、キャパシタ２は略直方体形状をなし、互いに反対側に位置する底板部３および天板部４と、これらを接続する側板部５とを有し、底板部３と側板部５の間、および、天板部４と側板部５の間には、外方に突出する矩形枠状の額縁部６が形成されている。
図２（Ａ）に示すように、底板部３の中央には皿体７と正極端子体８が同心上に取り付けられており、図２（Ｂ）に示すように、天板部４の中央には皿体７と負極端子体９が同心上に取り付けられている。以下、この明細書において正極端子体８と負極端子体９が対向する方向、換言すると底板部３の中央と天板部４の中央を結ぶ軸方向を、キャパシタ２の軸線方向という。したがって、キャパシタ２の軸線方向は正極端子、負極端子の位置によって決まるものであり、キャパシタ２の内部構造には何ら関係しない。また、天板部４と底板部３は必ずしも設置状態における上下関係を意味するものではなく、例えば、天板部４を下側に、底板部３を上側にして設置する場合もあり得る。
【００１０】
皿体７、正極端子体８、負極端子体９はいずれも導電性金属（例えば銅）からなり、皿体７の上に正極端子体８あるいは負極端子体９がねじ止めされている。図１９に示すように、底板部３に設けられた皿体７と天板部４に設けられた皿体７は同一形状、同一寸法の円形皿状をなし、上端には水平外側に広がる円環状のフランジ部７ａが形成されている。
【００１１】
正極端子体８は皿体７のフランジ部７ａよりも小径であり、中央に円筒状の位置決め突起８ａが設けられ、位置決め突起８ａの外側に略円筒状の正極端子８ｂが連設されて構成されている。底板部３において、皿体７のフランジ部７ａは額縁部６の先端とほぼ同一高さに位置しており、位置決め突起８ａの先端は額縁部６の先端よりもキャパシタ２の軸線方向外側に突出し、正極端子８ｂの先端は位置決め突起８ａの先端よりもさらにキャパシタ２の軸線方向外側に突出している。
【００１２】
負極端子体９は皿体７のフランジ部７ａよりも小径であり、中央に円筒状の位置決め突起９ａが設けられ、位置決め突起９ａの外側に負極端子９ｂが連設されて構成されている。負極端子体９における位置決め突起９ａは正極端子体８における位置決め突起８ａと同一形状、同一寸法をなし、負極端子９ｂは周方向に複数（この実施例では４つ）に分割されていて、仮想円周上に配置されている。天板部４において、皿体７のフランジ部７ａは額縁部６の先端とほぼ同一高さに設定されており、位置決め突起９ａの先端は額縁部６の先端よりもキャパシタ２の軸線方向外側に突出し、負極端子９ｂの先端は位置決め突起９ａの先端よりもさらにキャパシタ２の軸線方向外側に突出している。
【００１３】
このように構成されたキャパシタ２においては、２つのキャパシタ２，２をその軸線方向に沿って直接連結することができるようになっている。このキャパシタ２，２同士の連結は、図１９に示すように、一方のキャパシタ２の負極端子９ｂの内側に他方のキャパシタ２の正極端子８ｂが嵌め込まれることによって行われ、両キャパシタ２，２の位置決め突起８ａ，９ａの先端同士が突き合わされる位置を嵌合完結点とされ、この状態において両キャパシタ２，２の皿体７，７のフランジ部７ａ，７ａ同士が所定寸法離間して位置するように設定されている。なお、キャパシタ２，２は同極端子同士を直接連結することはできず、したがって、キャパシタ２，２同士を直結するということは、電気的には直列接続を意味する。また、位置決め突起８ａ，９ａはキャパシタ２，２を直結したときの軸線方向の位置決めを行う。
【００１４】
次に、アッパープレート２０について説明する。図３はアッパープレート２０の外観斜視図、図４はアッパープレート２０を表裏ひっくり返して見た外観斜視図、図５はアッパープレート２０の底面図、図６は図５のＡ−Ａ断面図、図７は図５のＢ−Ｂ断面図であり、図８は後述するバスバー４０の外観斜視図である。
アッパープレート２０は平べったい略直方体形状をなし、樹脂製の第１フレーム２１および第２フレーム２２と、金属製のカバー２３と、各キャパシタ２の電圧や温度等を監視するための回路（キャパシタ電圧検出回路、キャパシタ温度制御回路）を備えた制御基板２４と、隣り合う２つのキャパシタ２，２の正極端子８ｂと負極端子９ｂを接続するための３つのバスバー（接続部材）４０、を主要構成とし、第２フレーム２２の上に第１フレーム２１が配置され、第１フレーム２１の上にカバー２３が配置されて、カバー２３側から取り付けた６つのボルト２６によってはカバー２３と第１フレーム２１と第２フレーム２２は一体に連結固定されている。
【００１５】
バスバー４０は導電性金属（例えば銅）で形成されており、図８に示すように、キャパシタ２の正極端子体８、負極端子体９と同形状、同寸法に形成された雄端子体４１、雌端子体４２と、これら雄端子体４１と雌端子体４２を接続する接続プレート４３とからなる。雄端子体４１は、正極端子体８の突起８ａ、正極端子８ｂに対応する突起４１ａと雄端子４１ｂを備え、雌端子体４２は負極端子体９の突起９ａ、負極端子９ｂに対応する突起４２ａ、雌端子４２ｂを備えていて、雄端子体４１は接続プレート４３の一端に、雌端子体４２は接続プレート４３の他端に溶接されている。雄端子４１ｂと雌端子４２ｂの中心間寸法は、並行に配置される２つのキャパシタ２，２の正極端子８ｂと負極端子９ｂの中心間寸法に一致する。
【００１６】
第２フレーム２２の底面には、その長手方向の一端側に、２つのコネクタ差込口２８ａ，２８ａを有するコネクタ部２８が第１フレーム２１から離間する方向（下方）に突設されている。各コネクタ差込口２８ａの内部に設けられたピンコネクタ２８ｂ（図５参照）は制御基板２４のキャパシタ電圧検出回路に接続されている。
また、第２フレーム２２の底面には、平面視矩形をなす６つの凹部２７Ａ〜２７Ｆ（以下、個々を区別する必要がないときは凹部２７と記す）が第２フレーム２２の長手方向に沿って縦列に並んで設けられている。この凹部２７はキャパシタ２の額縁部６を挿入させてキャパシタ２の位置決めをするためのものであり、額縁部６よりも若干大きい寸法に形成されている。また、第２フレーム２２には、各凹部２７の中央に円形の孔２７ａが設けられている。この孔２７ａはバスバー４０の雄端子体４１や雌端子体４２を第２フレーム２２から露出させるためのものであり、孔２７ａの内径は雌端子４２ｂの外径よりも所定寸法だけ大きくされている。
【００１７】
さらに、第２フレーム２２には、コネクタ部２８から遠い側から数えて２番目、４番目、６番目の凹部２７Ｂ，２７Ｄ，２７Ｆにおける所定部位に、第１フレーム２１から離間する方向（下方）に突出する凸部２７ｂが形成されている。図７に示すように、この凸部２７ｂの内側に形成された溝２７ｃには、キャパシタ２の温度を検出するためのサーミスタ２９が第２フレーム２２に密接して配置されており、サーミスタ２９は溝２７ｃに充填されたシリコン２７ｄによって固定され、リード線２９ａを介して制御基板２４のキャパシタ温度制御回路に電気的に接続されている。また、凸部２７ｂの表面には熱伝導性の高いジェル状の樹脂シート３０が取り付けられている。
【００１８】
３つのバスバー４０は、第２フレーム２２の孔２７ａから雄端子体４１および雌端子体４２の先端部を突出させて、第１フレーム２１と第２フレーム２２の間に配置されて第２フレーム２２に固定されており、これらバスバー４０は制御基板２４のキャパシタ電圧検出回路に電気的に接続されている。雄端子体４１と雌端子体４２は交互に配置されており、この実施例１ではコネクタ部２８に一番近い部位には雄端子体４１が配置されている。
第１フレーム２１の上面は、その長手方向の両端部３１，３２が中央部３３よりも一段高くなっており、第２フレーム２２のコネクタ部２８とは反対側に配置される端部３１の両側面には、３つのコネクタ差込口３１ａ，３１ｂ，３１ｃが設けられている。これらコネクタ差込口３１ａ，３１ｂ，３１ｃの内部に設けられたピンコネクタ（図示略）は制御基板２４に接続されている。
【００１９】
第１フレーム２１の上面の中央部３３には、複数の基板取付用のボス３３ａが第２フレーム２２から離間する方向（上方）に突設されており、制御基板２４はこれらボス３３ａの上に配置され、ねじ３３ｂによってボス３３ａに固定されている。この制御基板２４には多数の電子部品（図示略）が取り付けられているが、いずれの電子部品も第１フレーム２１の上面側に向けて設置されている。すなわち、これら電子部品は制御基板２４と第１フレーム２１の間に形成される空間３４内に収容されていて、制御基板２４よりも上側（第１フレーム２１から離間する側）には取り付けられていない。このように電子部品を配置して制御基板２４を設置することにより、アッパープレート２０の高さ寸法の短縮化を図ることができる。
【００２０】
そして、カバー２３は、この制御基板２４を包囲するように、第１フレーム２１の中央部３３の上に取り付けられている。カバー２３は断面ハット型をなし、外周に形成された平坦な鍔部２３ａがボルト２６によって中央部３３に固定され、平坦な天板部２３ｂが第１フレーム２１の両端部３１，３２の上面とほぼ面一になるような高さ寸法に設定されている。なお、ボルト２６のねじ部はカバー２３および第１フレーム２１を貫通して第２フレーム２２にねじ込まれており、これによりカバー２３と第１フレーム２１と第２フレーム２２が一体に連結される。
【００２１】
次に、ロアプレート７０について説明する。図９はロアプレート７０の外観斜視図、図１０はロアプレート７０の平面図、図１１はロアプレート７０の底面図、図１２は図１０のＣ矢視側面図、図１３は図１０のＤ−Ｄ断面図、図１４は後述するバスバー（接続部材）９０Ａ〜９０Ｄの相互位置関係を示す斜視図である。
ロアプレート７０は平べったい略直方体形状をなし、、樹脂製の第１フレーム７１および第２フレーム７２と、コネクタ７３と、導電性金属（例えば銅）で形成された４つのバスバー９０Ａ，９０Ｂ，９０Ｃ，９０Ｄを主要構成とし、第１フレーム７１の底部に嵌め込まれた第２フレーム７２が、４つのボルト８０によって第１フレーム７１に固定され、第１フレーム７１と第２フレーム７２との間にバスバー９０Ａ〜９０Ｄが取り付けられて構成されている。
【００２２】
第１フレーム７１の長手方向一端側であってアッパープレート２０のコネクタ部２８と対向する側の一方の隅部は切り欠かれており、この切り欠き部７１ａからコネクタ７３のハーネス７３ｂが延び、コネクタ本体７３ａにつながっている。
第１フレーム７１の上面には、平面視矩形をなす６つの凹部７４Ａ〜７４Ｆ（以下、個々を区別する必要がないときは凹部７４と記す）が第１フレーム７１の長手方向に沿って縦列に並んで設けられている。この凹部７４はキャパシタ２の額縁部６を挿入させてキャパシタ２の位置決めをするためのものであり、額縁部６よりも若干大きい寸法に形成されている。また、第１フレーム７１には、各凹部７４の中央に円形の孔７４ａが設けられている。この孔７４ａは後述するバスバー９０Ａ〜９０Ｄの雄端子体９１や雌端子体９２を第１フレーム７１から露出させるためのものであり、孔７４ａの内径は雌端子９２ｂの外径よりも所定寸法だけ大きくされている。
また、第１フレーム７１の長手方向他端側の一方の側面にはコネクタ差込口７５（図９参照）が、他方の側面にはコネクタ差込口７６（図１参照）が設けられている。コネクタ差込口７５，７６は第１フレーム７１の幅方向一直線上に配置され、互いに反対方向に向かって開口している。
【００２３】
図１４を参照してバスバー９０Ａ〜９０Ｄを説明する。バスバー９０Ｂ，９０Ｃは、アッパープレート２０におけるバスバー４０と同一構成、同一形状、同一寸法をなし、突起９１ａと雄端子９１ｂを有する雄端子体９１と、突起９２ａと雌端子９２ｂを有する雌端子体９２と、雄端子体９１と雌端子体９２を接続する接続プレート９３とから構成されている。雄端子９１ｂと雌端子９２ｂの中心間寸法は、並行に配置される２つのキャパシタ２，２の正極端子８ｂと負極端子９ｂの中心間寸法に一致する。バスバー９０Ｂは、第１フレーム７１においてコネクタ７３から遠い側から数えて２番目の凹部７４Ｂの孔７４ａから雌端子体９２の先端部を突出させ、３番目の凹部７４Ｃの孔７４ａから雄端子体９１の先端部を突出させて第１フレーム７１に固定されている。バスバー９０Ｃは、第１フレーム７１においてコネクタ７３から遠い側から数えて４番目の凹部７４Ｄの孔７４ａから雌端子体９２の先端部を突出させ、５番目の凹部７４Ｅの孔７４ａから雄端子体９１の先端部を突出させて第１フレーム７１に固定されている。なお、バスバー９０Ｂ，９０Ｃはロアプレート７０において同一高さに配置されている。
【００２４】
バスバー９０Ａは、端子プレート９４と、この端子プレート９４に溶接された雄端子体９１とから構成されている。バスバー９０Ａの雄端子体９１は、バスバー９０Ｂ，９０Ｃの雄端子体９１と全く同じものである。端子プレート９４は、バスバー９０Ｂの接続プレート９３と同一高さに配置されてバスバー９０Ｂに接近する方向に延びる水平部９４ａと、水平部９４ａの先端側部から略直角に下方に屈曲した後に第１フレーム７１の一方の側面に向かって水平に延びる入力端子部９４ｂと、から構成されている。バスバー９０Ａは、第１フレーム７１においてコネクタ７３から遠い側から数えて１番目の凹部７４Ａの孔７４ａから雄端子体９１の先端部を突出させ、入力端子部９４ｂの先端部を第１フレーム７１のコネクタ差込口７５内に突出させて（図９参照）、第１フレーム７１に固定されている。このバスバー９０Ａの入力端子部９４ｂは、蓄電装置１Ａの入力端子となる。
【００２５】
バスバー９０Ｄは、端子プレート９５と、この端子プレート９５に溶接された雌端子体９２とから構成されている。バスバー９０Ｄの雌端子体９２は、バスバー９０Ｂ，９０Ｃの雌端子体９２と全く同じものである。端子プレート９５は、バスバー９０Ｃの接続プレート９３と同一高さに配置されてバスバー９０Ｃに接近する方向に延びる第１水平部９５ａと、第１水平部９５ａの先端部から略直角に下方に屈曲した後に第１フレーム７１の長手方向に沿ってバスバー９０Ａに接近する方向へ水平に延びる第２水平部９５ｂと、第２水平部９５ｂの先端側部から第１フレーム７１の他方の側面に向かって水平に延びる出力端子部９５ｃと、から構成されている。バスバー９０Ｄは、第１フレーム７１においてコネクタ７３に近い側から数えて１番目の凹部７４Ｆの孔７４ａから雌端子体９２の先端部を突出させ、出力端子部９５ｃの先端部を第１フレーム７１のコネクタ差込口７６内に突出させて（図１参照）、第１フレーム７１に固定されている。そして、第２水平部９５ｂは、バスバー９０Ｂ，９０Ｃの接続プレート９３およびバスバー９０Ａの水平部９４ａの下側に離間して配置されていて、バスバー９０Ｄとバスバー９０Ａ，９０Ｂ，９０Ｃとの間の絶縁状態を保持できるようにされている。このバスバー９０Ｄの出力端子部９５ｃは、蓄電装置１Ａの出力端子となる。
【００２６】
また、バスバー９０Ａの端子プレート９４、バスバー９０Ｂ，９０Ｃの接続プレート９３，９３、バスバー９０Ｄの端子プレート９５には、それぞれ角線からなるリード９６が接続されており、各リード９６は互いに離間した状態に保持されて第１フレーム７１の切り欠き部７１ａに接近する方向に延び、それぞれコネクタ７３のハーネス７３ｂに電気的に接続されている。
第２フレーム７２は、これら４つのバスバー９０Ａ〜９０Ｄの背面側から第１フレーム７１の底部に嵌め込まれ、ボルト８０によって第１フレーム７１に固定されている。
【００２７】
次に、中間プレート５０について説明する。図１５は中間プレート５０の外観斜視図、図１６は中間プレート５０の平面図、図１７は図１６のＥ−Ｅ断面図、図１８は図１６のＦ−Ｆ断面図、図１９は中間プレート５０を挟んで２つのキャパシタ２，２を接続した状態における断面図である。
中間プレート５０は、樹脂製のフレーム５１と、導電性金属（例えば銅）で形成された６つの端子体（電圧検出端子）６０と、コネクタ６５を主要構成とする。
【００２８】
フレーム５１は平面視略長方形をなし、フレーム５１の表裏両面にはそれぞれ、平面視略矩形をなす６つの凹部５２，５２・・・がフレーム５１の長手方向に沿って縦列に並んで設けられており、表面側の凹部５２と裏面側の凹部５２は平面視同一位置に配置されている。凹部５２はキャパシタ２の額縁部６を挿入させてキャパシタ２の位置決めをするためのものであり、額縁部６よりも若干大きい寸法に形成されている。また、フレーム５１には、各凹部５２の中央に略矩形の孔５３が設けられており、隣り合う２つの孔５３，５３の中心間寸法は、並行に配置される２つのキャパシタ２，２の正極端子８ｂと負極端子９ｂの中心間寸法に一致する。この孔５３は、図１９に示すように、端子体６０を収容するとともに、２つのキャパシタ２，２を直列接続した際の正極端子８ｂと負極端子９ｂの嵌合部を貫通させるためのものであり、孔５３の内径は端子体６０の外径よりも所定寸法だけ大きくされている。この孔５３は平面視略矩形の肉厚部５４によって囲まれ、さらに肉厚部５４の外側を溝５５が取り囲んでいる。また、フレーム５１の表面側の肉厚部５４の所定部位、および隣り合う凹部５２，５２の間の仕切壁５６には、コネクタ６５のハーネス６５ｂを配線するためのハーネス挿入溝５７が形成されている
また、フレーム５１の長手方向一端側であってアッパープレート２０のコネクタ部２８と対向する側には、ハーネス取出部５８が設けられている。
【００２９】
端子体６０は導電性金属（例えば銅）で形成されており、平面視略円形をなし、板厚方向に波打つように屈曲形成されて、板ばねの機能を有している。端子体６０はフレーム５１の孔５３内に収容された状態で、フレーム５１に支持されている。詳述すると、端子体６０には周方向に１８０度離間して１対の爪６１，６１が設けられており、この爪６１をフレーム５１における肉厚部５４の内周面に形成されたスリット５４ａに嵌入することによって、フレーム５１に取り付けられている。図１９に示すように、端子体６０の内径はキャパシタ２の負極端子９ｂが貫通可能な寸法にされており、端子体６０の外径は、２つのキャパシタ２，２の正極端子８ｂと負極端子９ｂを端子体６０の内側に挿通させて嵌合したときに、両キャパシタ２，２の皿体７，７のフランジ部７ａ，７ａの間に端子体６０が挟装される大きさに設定されており、端子体６０の波打ち高さは、２つのキャパシタ２，２の位置決め突起８ａ，９ａを突き合わせたときに、端子体６０がフランジ部７ａ，７ａによって圧縮される大きさに設定されている。
コネクタ６５はコネクタ本体６５ａから６本のハーネス６５ｂ、６５ｂ・・・が延びており、各ハーネス６５ｂはフレーム５１のハーネス取出部５８を介してフレーム５１の凹部５２内に引き込まれ、フレーム５１の表面側のハーネス挿入溝５４に沿って配線され、それぞれ各端子体６０に電気的に接続されている。
【００３０】
次に、この蓄電装置１Ａの完成品について説明する。
この蓄電装置１Ａでは、アッパープレート２０のコネクタ部２８と、中間プレート５０のハーネス取出部５８と、ロアプレート７０の切り欠き部７１ａとが、長手方向同じ側に位置している。
ロアプレート７０の上面に露出するバスバー９０Ａ〜９０Ｄの雄端子９１ｂあるいは雌端子９２ｂには、下段のキャパシタ２の負極端子９ｂあるいは正極端子８ｂが嵌合し、バスバー９０Ａ〜９０Ｄの突起９１ａ，９２ａはキャパシタ２の位置決め突起８ａ，９ａに突き当っている。ロアプレート７０に対するキャパシタ２の軸線方向位置は、突起９１ａ，９２ａと位置決め突起８ａ，９ａの突き当てによって決まり、これにより雄端子９１ｂと負極端子９ｂの嵌合状態、および雌端子９２ｂと正極端子８ｂの嵌合状態が最適になる。また、各キャパシタ２の額縁部６はロアプレート７０の凹部７４に挿入されており、これによりロアプレート７０に対するキャパシタ２の位置決めを容易に行うことができるとともに、キャパシタ２の回転が防止される。なお、ロアプレート７０に対するキャパシタ２の軸線方向位置は、突起９１ａ，９２ａと位置決め突起８ａ，９ａの突き当てによって決まるので、キャパシタ２における額縁部６の先端はロアプレート７０の凹部７４の表面に当接していない。
【００３１】
さらに、これら下段の６つのキャパシタ２，２・・・の上に中間プレート５０を介して上段のキャパシタ２，２・・・が直列に接続されている。図１９はこの接続状態を示す図面であり、キャパシタ２，２の正極端子８ｂと負極端子９ｂとの嵌合状態では位置決め突起８ａ，９ａが突き当たり、正極端子８ｂと負極端子９ｂの嵌合が中間プレート５０の孔５３および端子体６０を貫通し、キャパシタ２，２のフランジ部７ａ，７ａが端子体６０に表裏両側から圧接する。また、上段および下段の各キャパシタ２の額縁部６は中間プレート５０の凹部５２に挿入されており、これにより中間プレート５０に対するキャパシタ２の位置決めを容易に行うことができるとともに、キャパシタ２の回転が防止される。なお、直列接続された２つのキャパシタ２，２の軸線方向の相対位置は、位置決め突起８ａと位置決め突起９ａの突き当てによって決まり、これにより正極端子８ｂと負極端子９ｂの嵌合状態が最適になる。また、キャパシタ２における額縁部６は溝５５に挿入され、額縁部６の先端は中間プレート５０の溝５４の表面に当接していない。
【００３２】
さらに、これら上段の６つのキャパシタ２，２・・・の正極端子８ｂあるいは負極端子９ｂに、アッパープレート２０の底面に露出するバスバー４０の雌端子４２ｂあるいは雄端子４１ｂを嵌合させ、キャパシタ２の位置決め突起８ａ，９ａにバスバー４０の突起４１ａ，４２ａを突き当てて、アッパープレート２０が取り付けられている。アッパープレート２０に対するキャパシタ２の軸線方向位置は、突起４１ａ，４２ａと位置決め突起８ａ，９ａの突き当てによって決まり、これにより雄端子４１ｂと負極端子９ｂの嵌合状態、および雌端子４２ｂと正極端子８ｂの嵌合状態が最適になる。また、各キャパシタ２の額縁部６はアッパープレート２０の凹部２７に挿入されており、これによりアッパープレート２０に対するキャパシタ２の位置決めを容易に行うことができるとともに、キャパシタ２の回転が防止される。なお、アッパープレート２０に対するキャパシタ２の軸線方向位置は、突起４１ａ，４２ａと位置決め突起８ａ，９ａの突き当てによって決まるので、キャパシタ２における額縁部６の先端はアッパープレート２０の凹部２７の表面に当接していない。
また、アッパープレート２０においてサーミスタ２９の設置位置に設けられた樹脂シート３０がキャパシタ２の天板部４に密着している。これによりキャパシタ２の温度に対応する電気信号を制御基板２４のキャパシタ温度制御回路に出力することができる。
【００３３】
そして、ロアプレート７０におけるコネクタ７３のコネクタ本体７３ａがアッパープレート２０の一方のコネクタ差込口２８ａに挿入され、これにより、ロアプレート７０の４つのバスバー９０Ａ〜９０Ｄがアッパープレート２０に内蔵された制御基板２４のキャパシタ電圧検出回路に電気的に接続されている。また、中間プレート５０におけるコネクタ６５のコネクタ本体６５ａがアッパープレート２０の他方のコネクタ差込口２８ａに挿入され、これにより、中間プレート５０の６個の端子体６０，６０・・・がアッパープレート２０に内蔵された制御基板２４のキャパシタ電圧検出回路に電気的に接続されている。
【００３４】
このように構成された蓄電装置１Ａでは、１２個全てのキャパシタ２，２・・・が直列に接続される。詳述すると、図１において下段の一番右側に位置するキャパシタ２はロアプレート７０の入力端子部９４ｂに接続されており、このキャパシタ２は上段一番右側のキャパシタ２に直列接続される。そして、上段一番右側のキャパシタ２は上段右側から２番目のキャパシタ２にアッパープレート２０内のバスバー４０を介して直列接続され、この上段右側から２番目のキャパシタ２は下段右側から２番目のキャパシタ２に直列接続される。さらに、上段右側から２番目のキャパシタ２はロアプレート７０内のバスバー９０Ｂを介して下段右側から３番目のキャパシタ２に直列接続される。同様にして、上段と下段のキャパシタ２，２を直列に接続しながら、順次隣の列のキャパシタ２に直列に接続される。そして、図１において下段一番左側に位置するキャパシタ２が末端となり、このキャパシタ２はロアプレート７０の出力端子部９５ｃに接続される。
【００３５】
そして、前述したようにアッパープレート２０の３つのバスバー４０，４０，４０、ロアプレート７０の４つのバスバー９０Ａ〜９０Ｄ、および、中間プレート５０の６個の端子体６０，６０・・・がアッパープレート２０に内蔵された制御基板２４のキャパシタ電圧検出回路に電気的に接続されているので、蓄電装置１Ａの総電圧を検出することができるだけでなく、個々のキャパシタ２の電圧や、キャパシタ２を所定個数つないだグループ毎の電圧等を必要に応じて検出することが可能になる。したがって、蓄電装置１Ａに対する電圧管理を細かく行うことができる。
【００３６】
また、この蓄電装置１Ａでは上段の６つのキャパシタ２，２・・・と下段の６つのキャパシタ２，２・・・の間に中間プレート５０を配置してこれらキャパシタ２を位置決めし且つ回転防止しているので、組み立て完了後においてもキャパシタ２同士の相対的な位置関係がずれなくなり、形状の安定化を図ることができる。また、上段のキャパシタ２，２および下段のキャパシタ２，２・・・は、アッパープレート２０およびロアプレート７０に対しても位置決めされ且つ回転防止されているので、組み立て完了後においてもキャパシタ２同士の相対的な位置関係がずれなくなり、形状の安定化を図ることができる。
また、１２個のキャパシタ２，２・・・の全体を匡体で覆うような構造ではなく、１２個のキャパシタ２，２・・・をアッパープレート２０とロアプレート７０との間に挟装した構造であるので、蓄電装置１Ａの小型・軽量化を図ることができる。
【００３７】
［実施例２］
次に、この発明に係る蓄電装置の実施例２を図２０から図３７の図面を参照して説明する。
図２０は実施例２の蓄電装置１Ｂの外観斜視図であり、蓄電装置１Ｂは、アッパープレート１００とロアプレート３００との間に、３６個の蓄電素子としてのキャパシタ２，２・・・が挟装されで構成さている。また、キャパシタ２，２・・・は上下２段に配列されるとともに、各段毎に３行６列計１８個ずつ配列されており、上段１８個のキャパシタ２，２・・・と下段１８個のキャパシタ２，２・・・との間に中間プレート２００が配置されている。そして、この蓄電装置１Ｂでは３６個のキャパシタ２，２・・・の全てが直列に接続されている。キャパシタ２については、実施例１におけるキャパシタ２と同じであるので、図２を援用してその説明は省略する。
なお、図２０は、説明の都合上、蓄電装置１Ｂの天地を逆にしており、アッパープレート１００を下側に、ロアプレート３００を上側にして図示している。
また、以下の説明において各キャパシタ２などの配置されている部位を特定する必要があるため、図２１に示すようにアッパープレート１００を上側にしたときの蓄電装置１Ｂの平面視において３行（ｐ行，ｑ行，ｒ行）、６列（ａ列，ｂ列，ｃ列，ｄ列，ｅ列，ｆ列）からなる座標を設定し、例えば、「下段ｐ行ｃ列のキャパシタ２」のように特定する。
【００３８】
初めに、アッパープレート１００について説明する。図２２はアッパープレート１００の外観斜視図、図２３はアッパープレート１００を表裏ひっくり返して見た外観斜視図、図２４は図２３におけるＧ−Ｇ矢視断面図、図２５は図２３におけるＨ−Ｈ矢視断面図である。
アッパープレート１００は平面視略長方形の板状をなし、樹脂製のフレーム１１０と、金属製のカバー１３０と、各キャパシタ２の電圧や温度等を監視するための回路（キャパシタ電圧検出回路、キャパシタ温度制御回路）を備えた制御基板１４０と、隣り合う２つのキャパシタ２，２の正極端子８ｂと負極端子９ｂを接続するための９個のバスバー（接続部材）１５０と、バスバー１５０を固定するための９個のバスバーカバー１７０、を主要構成とし、フレーム１１０の上にカバー１３０がボルト１０１によって固定され、フレーム１１０とカバー１３０の間に制御基板１４０、バスバー１５０、バスバーカバー１７０が収容されている。
【００３９】
バスバー１５０は導電性金属（例えば銅）で形成されており、図２６に示すように、キャパシタ２の正極端子体８、負極端子体９と同形状、同寸法に形成された雄端子体１５１、雌端子体１５２と、これら雄端子体１５１と雌端子体１５２を接続する平板状の接続プレート１５３とからなる。雄端子体１５１は、正極端子体８の突起８ａ、正極端子８ｂに対応する突起１５１ａと雄端子１５１ｂを備え、雌端子体１５２は負極端子体９の突起９ａ、負極端子９ｂに対応する突起１５２ａ、雌端子１５２ｂを備えていて、雄端子体１５１は接続プレート１５３の一端に、雌端子体１５２は接続プレート１５３の他端に溶接されている。雄端子１５１ｂと雌端子１５２ｂの中心間寸法は、並行に配置される２つのキャパシタ２，２の正極端子８ｂと負極端子９ｂの中心間寸法に一致する。
【００４０】
図２３に示すように、フレーム１１０の底面には、ａ列側の端部に、３つのコネクタ差込口１１１ａ，１１１ｂ，１１１ｃがカバー１３０から離間する方向（下方）に突設されている。各コネクタ差込口１１１ａ，１１１ｂ，１１１ｃの内部に設けられたピンコネクタ（図示略）は制御基板１４０のキャパシタ電圧検出回路に接続されている。
また、フレーム１１０の底面には、平面視矩形をなす凹部１１２，１１２・・・が格子状に３行６列で計１８個設けられている。この凹部１１２はキャパシタ２の額縁部６を挿入させてキャパシタ２の位置決めをするためのものであり、額縁部６よりも若干大きい寸法に形成されている。また、各凹部１１２の中央には平面視略矩形の突出部１１３が突設されており、さらにその中央にはフレーム１１０の上面に貫通する円形の孔１１４が設けられている。この孔１１４はバスバー１５０の雄端子体１５１や雌端子体１５２をフレーム１１０から露出させるためのものであり、孔１１４の内径は雌端子１５２ｂの外径よりも所定寸法だけ大きくされている。
【００４１】
さらに、フレーム１１０の底面には、ｐ行ａ列の突出部１１３の隅部に、この突出部１１３よりもさらに下方に突出する凸部１１７が形成されている。図２５に示すように、この凸部１１７の内側に形成された溝１１７ａには、キャパシタ２の温度を検出するためのサーミスタ１２９がフレーム１１０に密接して配置されており、サーミスタ１２９は溝１１７ａに充填されたシリコン１１７ｂによって固定され、リード線１２９ａを介して制御基板１４０のキャパシタ温度制御回路に電気的に接続されている。また、凸部１１７の表面には熱伝導性の高いジェル状の樹脂シート１２８が取り付けられている。
また、フレーム１１０のｆ列側の端面には、２つのコネクタ差込口１２０ａ，１２０ｂが設けられている。これらコネクタ差込口１２０ａ，１２０ｂの内部に設けられたピンコネクタ（図示略）は制御基板１４０に接続されている。
【００４２】
図２７は、カバー１３０と制御基板１４０を取り外した状態のアッパープレート１００の斜視図である。この図２７および図２４に示すように、フレーム１１０の上面には、その外周縁に沿ってカバー取付座１２１が形成され、カバー取付座１２１の内側に収容凹部１２２が形成されている。この収容凹部１２２には、隣り合う２つの孔１１４，１１４を包囲する起立壁部１１５が、フレーム１１０の上面から起立して設けられており、この起立壁部１１５の先端内周部には段差部１１５ａが形成されている。この起立壁部１１５はバスバー１５０を取り付ける際の位置決め凹部として機能するものであり、バスバー１５０の接続プレート１５３がほぼ隙間なく嵌め込まれる形状にされていて、接続プレート１５３の外周部を段差部１１５ａで受け、その状態で接続プレート１５３と起立壁部１１５の先端がほぼ面一になるように設定されている。各起立壁部１１５は、ａ〜ｆ列の各列毎のｐ，ｑ行の孔１１４，１１４を包囲するように形成されるとともに、ｒ行では、ａ，ｂ列と、ｃ，ｄ列と、ｅ，ｆ列の孔１１４，１１４を包囲するように形成されている。
【００４３】
そして、各起立壁部１１５にはバスバー１５０が、起立壁部１１５内の２つの孔１１４，１１４から雄端子１５１ｂおよび雌端子１５２ｂの先端部を突出させるようにして、嵌め込まれている。なお、実施例２では、図２３に示すように、ｐ行ａ列の孔１１４内に雄端子１５１ｂが配置され、この雄端子１５１ｂを始点として隣り合う端子が雌雄逆になるように配置されている。各バスバー１５０の接続プレート１５３にはリード１５４が接続されており、該リード１５４を介して制御基板１４０のキャパシタ電圧検出回路に電気的に接続されている。
【００４４】
バスバー１５０が装着された各起立壁部１１５の上には、バスバーカバー１７０が取り付けられている。図２４および図２７に示すように、バスバーカバー１７０は断面略コ字形をなし、上から起立壁部１１５にほぼ隙間なく外嵌する形状に形成されていて、バスバーカバー１７０の底面１７１が起立壁部１１５の先端に当接するようにされている。バスバーカバー１７０は、その長手方向両端に形成されたフック１７４を、フレーム１１０の収容凹部１２２に形成された係止部１２３に係止することによってフレーム１１０に固定されている。
バスバーカバー１７０の上面１７２には、組み付け状態においてフレーム１１０の孔１１４に対応する部位に、段付き円柱状のボス１７３が突設されている。ボス１７３は基部側が大径部１７３ａ、先端側が小径部１７３ｂにされている。
【００４５】
また、フレーム１１０の収容凹部１２２における所定部位には、制御基板取付用のボス１１６，１１６・・・が複数突設されていて、制御基板１４０はこれらボス１１６，１１６・・・の上に載置され、ねじ１２７によってボス１１６，１１６・・・に固定されている。このように取り付けられた制御基板１４０の面内方向はフレーム１１０に対して平行となる。換言すると、制御基板１４０の面内方向はキャパシタ２の軸線方向と直交している。制御基板１４０には、図２４に示すように、各バスバーカバー１７０のボス１７３の小径部１７３ｂを挿通させる孔１４１が設けられている。この孔１４１は、小径部１７３ｂを遊びを有して挿通させ、且つ、ボス１７３の大径部１７３ａを挿通させない大きさに設定されている。
また、バスバーカバー１７０のボス１７３における大径部１７３ａの高さは、制御基板１４０およびバスバーカバー１７０をフレーム１１０に取り付けた状態において、制御基板取付用のボス１１６の高さとほぼ同じかあるいは若干低くなるように設定されており、大径部１７３ａの上面が制御基板１４０の底面に接触しないか、あるいは接触する場合にも軽く接触するようになっている。
【００４６】
図２４に示すように、制御基板１４０には多数の電子部品１４２が取り付けられているが、いずれの電子部品１４２もフレーム１１０の上面側に向けて設置されている。すなわち、これら電子部品１４２は制御基板１４０とフレーム１１０の間に形成される空間１２６内に収容されていて、制御基板１４０よりも上側（フレーム１１０から離間する側）には取り付けられていない。このように電子部品１４２を配置して制御基板１４０を設置することにより、アッパープレート１００の高さ寸法の短縮化を図ることができる。
【００４７】
カバー１３０は断面ハット型をなし、外周に形成された平坦な鍔部１３１をフレーム１１０のカバー取付座１２１に載置させて、ボルト１０１によりフレーム１１０に固定されている。カバー１３０の天板部１３２は、その長手方向両端部（ａ列とｆ列に対応する部分）において一段高くなっている高台部１３３ａ，１３３ｂを除いて、平坦面に形成されている。高台部１３３ａ，１３３ｂは同一高さで、いずれの上面も平坦面にされていて、アッパープレート１００において最上位に位置している。そして、制御基板１４０を貫通した各バスバーカバー１７０のボス１７３の先端だけが、カバー１３０の天板部１３２の内面に突き当たるようにされている。すなわち、制御基板１４０を固定しているねじ１２７の頭部はカバー１３０の内面に接触していない。
【００４８】
次に、中間プレート２００について説明する。図２８は中間プレート２００の外観斜視図、図２９は同平面図、図３０は図底面図、図３１は中間プレート５０を挟んで２つのキャパシタ２，２を接続した状態における断面図である。
中間プレート２００は、樹脂製のフレーム２１０と、導電性金属（例えば銅）で形成された１８個の端子体（電圧検出端子）２２０と、コネクタ２５０ａ，２５０ｂを主要構成とする。
フレーム２１０は平面視略長方形をなし、フレーム２１０の表裏両面にはそれぞれ、平面視略矩形をなす凹部２１１，２１１・・・が格子状に３行６列で計１８個設けられており、表面側の凹部２１１と裏面側の凹部２１１は平面視同一位置に配置されている。凹部２１１はキャパシタ２の額縁部６を挿入させてキャパシタ２の位置決めをするためのものであり、額縁部６よりも若干大きい寸法に形成されている。
【００４９】
フレーム２１０には、各凹部２１１の中央に平面視略矩形の厚肉部２１２が設けられており、さらに、厚肉部２１２の表裏一方の面の中央に平面視略矩形の内側凹部２１３が形成され、表裏他方の面の中央に平面視略円形の内側凹部２１４が形成されていて、これら内側凹部２１３、２１４の中央には表裏に貫通する円形の孔２１５が設けられている。内側凹部２１３，２１４は、図２９および図３０に示すように、フレーム２１０の表裏各面において互い違いに配置されている。隣り合う２つの孔２１５，２１５の中心間寸法は、並行に配置される２つのキャパシタ２，２の正極端子８ｂと負極端子９ｂの中心間寸法に一致する。
【００５０】
図３１に示すように、孔２１５は、２つのキャパシタ２，２を直列接続した際の正極端子８ｂと負極端子９ｂの嵌合部を貫通させるためのものであり、孔２１５の内径は負極端子９ｂの外径よりも所定寸法だけ大きくされている。また、平面視略矩形の内側凹部２１３は端子体２２０に対する取付座となる部分であり、端子体２２０を収容可能な大きさに設定されている。さらに、平面視円形の内側凹部２１４はキャパシタ２のフランジ部７ａを着座可能にする部分であり、フランジ部７ａを収容可能な大きさに設定されている。
また、フレーム２１０の裏面におけるａ列側の端部には、アッパープレート１００から離間する方向（下方）に突出するコネクタ２５０ａ，２５０ｂが設けられている。
【００５１】
端子体２２０は、フレーム２１０の表裏各面における内側凹部２１３に装着されている。端子体２２０は導電性金属（例えば銅）で形成されており、平面視略円形をなし、板厚方向に波打つように屈曲形成されて、板ばねの機能を有している。端子体２２０は互いに周方向１８０度離間した部位に一対のアーム２２１，２２２を有し、一方のアーム２２１を、フレーム２１０の内側凹部２１３に形成されたスリット２１６に嵌入させ、他方のアーム２２２を内側凹部２１３に載置させて、フレーム２１０に固定されている。
各端子体２２０のアーム２２２は、フレーム２１０の表裏両面の溝に沿って配線された平板状のリード２２３を介してコネクタ２５０ａ，２５０ｂに接続されている。ここで、ｐ行とｑ行に配置された端子体２２０はコネクタ２５０ａに接続され、ｒ行に配置された端子体２２０はコネクタ２５０ｂに接続されている。リード２２３は防水のため、溝に充填されたシリコンゴムによって覆われている。
【００５２】
図３１に示すように、端子体２２０の内径はキャパシタ２の負極端子９ｂが貫通可能な寸法にされており、端子体２２０の外径は、２つのキャパシタ２，２の正極端子８ｂと負極端子９ｂを端子体２２０の内側に挿通させて嵌合したときに、両キャパシタ２，２の皿体７，７のフランジ部７ａ，７ａの間にフレーム２１０の内側凹部２１３，２１４を介して端子体２２０が挟装される大きさに設定されており、端子体２２０の波打ち高さは、２つのキャパシタ２，２の位置決め突起８ａ，９ａを突き合わせたときに、端子体２２０がフレーム２１０の内側凹部２１３，２１４を介しフランジ部７ａ，７ａによって圧縮される大きさに設定されている。
【００５３】
次に、ロアプレート３００について説明する。図３２はロアプレート３００の外観斜視図、図３３はロアプレート７０の平面図、図３４は第２フレーム３９０を外したロアプレート３００を底面を上にして示す斜視図、図３５は図３３のＩ−Ｉ断面図である。
ロアプレート３００は平べったい略直方体形状をなし、入力側コネクタ３０１、出力側コネクタ３０２、電圧検出用コネクタ３１０、樹脂製の第１フレーム３２０および第２フレーム３５０、導電性金属（例えば銅）で形成された１０個のバスバー（接続部材）３６０，３７０，３８０Ａ〜３８０Ｈを主要構成とし、第１フレーム３２０の上面に前記バスバー３６０，３７０，３８０Ａ〜３８０Ｈが取り付けられ、第１フレーム３２０の底面に樹脂製の第２フレーム３５０が嵌合固定されて構成されている。
【００５４】
図３４に示すように、第１フレーム３２０の底面には第２フレーム３５０を嵌入させるための凹部３４０が形成され、第１フレーム３２０の周壁部３４１の所定部位には第２フレーム３５０を固定するための係止爪３４２が形成されている。
図３３に示すように、第１フレーム３２０の上面には、平面視矩形をなす凹部３２１，３２１・・・が格子状に３行６列で計１８個設けられている。この凹部３２１はキャパシタ２の額縁部６を挿入させてキャパシタ２の位置決めをするためのものであり、額縁部６よりも若干大きい寸法に形成されている。各凹部３２１の中央には平面視略矩形の突出部３２２が突設されており、さらにその中央には平面視円形の内側凹部３２３が形成され、この内側凹部３２３の中央にねじ孔３２４が貫通形成されている。このねじ孔３２４を包囲する筒状の周壁３２５は第１フレーム３２０の底面の凹部３４０に突出している。
【００５５】
また、隣り合って対をなす内側凹部３２３，３２３は連通凹部３２６によって接続されている。なお、この実施例において連通凹部３２６によって接続されて対をなす内側凹部３２３，３２３の組み合わせは、ｐ行ｃ列とｐ行ｄ列、ｐ行ｅ列とｐ行ｆ列、ｑ行ａ列とｒ行ａ列、ｑ行ｂ列とｑ行ｃ列、ｑ行ｄ列とｑ行ｅ列、ｑ行ｆ列とｒ行ｆ列、ｒ行ｂ列とｒ行ｃ列、ｒ行ｄ列とｒ行ｅ列である。したがって、ｐ行ａ列の内側凹部３２３とｐ行ｂ列の内側凹部３２３は連通しておらず、それぞれ独立している。
また、各連通凹部３２６内において、２つのねじ孔３２４，３２４を結ぶ中心線から偏位し且つこれらねじ孔３２４，３２４から等距離の位置には、中央に矩形の孔３２８が貫通形成された平面視矩形のバスバー支持部３２７が突設されている。なお、第１フレーム３２０の底面の凹部３４０にはこの孔３２８を包囲するように配置された平面視矩形の周壁３２９が突設されている。
【００５６】
次に、入力側コネクタ３０１、出力側コネクタ３０２、バスバー３６０，３７０，３８０Ａ〜３８０Ｈについて説明する。入力側コネクタ３０１はｐ行ｂ列の凹部３２１に隣接する第１フレーム３２０の側面に設けられており、出力側コネクタ３０２はｐ行ａ列の凹部３２１に隣接する第１フレーム３２０の側面に設けられている。
８個のバスバー３８０Ａ〜３８０Ｈ（以下、個々を区別する必要がないときはバスバー３８０と記す）は、第１フレーム３２０において連通凹部３２６によって連なる隣り合う２つの凹部３２１，３２１に架け渡されて配置されるものである。
バスバー３８０は、雄端子体３８１と、雌端子体３８２と、これら雄端子体３８１と雌端子体３８２を接続する接続プレート３８３とからなる。
接続プレート３８３は、図３６に示すように、中央に支持部３８３ａが形成され、支持部３８３ａの両側に端子取り付け部３８３ｂ，３８３ｃが形成されていて、支持部３８３ａと各端子取り付け部３８３ｂ，３８３ｃとの間に、接続プレート３８３の裏面側に突出する断面略Ｗ字状の易曲部３８３ｄが形成されている。易曲部３８３ｄを設けたことにより、図３７に示すように、接続プレート３８３は端子取り付け部３８３ｂ，３８３ｃが支持部３８３ａに対して撓み易くされている。
【００５７】
雄端子体３８１と雌端子体３８２はそれぞれ端子取り付け部３８３ｂ，３８３ｃの表側に溶接されている。雄端子体３８１はアッパープレート１００に装着されたバスバー１５０の雄端子体１５１と全く同じものであり、突起３８１ａ、雄端子３８１ｂを備えている。雌端子体３８２は、アッパープレート１００に装着されたバスバー１５０の雌端子体１５２と全く同じものであり、突起３８２ａ、雌端子３８２ｂを備えている。雄端子３８１ｂと雌端子３８２ｂの中心間寸法は、並行に配置される２つのキャパシタ２，２の正極端子８ｂと負極端子９ｂの中心間寸法に一致する。
また、支持部３８３ａには、雄端子３８１ｂの中心と雌端子３８２ｂの中心を結ぶ中心線から偏位し且つこれら雄端子３８１ｂの中心と雌端子３８２ｂの中心から等距離の位置に、角ナット３８４が貫通固定されており、支持部３８３ａの裏面から所定寸法突出している。
【００５８】
バスバー３８０は、支持部３８３ａを第１フレーム３２０のバスバー支持部３２７に配置し、角ナット３８４をバスバー支持部３２７の孔３２８に挿入させ、第１フレーム３２０の上面側の周壁３２９内に配置したボルト３３０を角ナット３８４に螺合することによって第１フレーム３２０に取り付けられている。このこのとき、角ナット３８４と孔３２８との係合により雄端子３８１ｂと雌端子３８２ｂの位置が一意的に決定されるので、雄端子３８１ｂと雌端子３８２ｂの取り付け位置を間違えることがない。このバスバー３８０の取り付け状態において、雄端子３８１ｂと雌端子３８２ｂはそれぞれ第１フレーム３２０における各凹部３２１の中心に位置するようになり、端子取り付け部３８３ｂ，３８３ｃの裏面側中央と第１フレーム３２０のねじ孔３２４が同軸上に位置するようになる。
【００５９】
図３５に示すように、第１フレーム３２０のねじ孔３２４にはその底面側から絶縁樹脂製の棒状のねじ３３１が螺合しており、このねじ３３１の先端は内側凹部３２３の底部から突出してバスバー３８０の端子取り付け部３８３ｂ，３８３ｃに突き当てられている。前述したようにバスバー３８０の端子取り付け部３８３ｂ，３８３ｃは支持部３８３ａに対して可撓性があるので、内側凹部３２３の底部から突出するねじ３３１の寸法を変更することによって、第１フレーム３２０に対する雄端子３８１ｂと雌端子３８２ｂの高さ位置を変更することができる。
【００６０】
バスバー３６０は、端子プレート３６１と、この端子プレート３６１の一端側に溶接された雄端子体３６２と、端子プレート３６１に固定された取付アーム３６３から構成されている。雄端子体３６２は、アッパープレート１００に装着されたバスバー１５０の雄端子体１５１と全く同じものであり、突起３６２ａ、雄端子３６２ｂを備えている。端子プレート３６１には図示を省略するがバスバー３８０の易曲部３８３ｄと同様の易曲部が形成されていて、雄端子体３６２を取り付けた側が撓み易くされている。バスバー３６０は雄端子体３６２をｐ行ｂ列の凹部３２１の中心に配置し、取付アーム３６３を介して、バスバー３８０と同様に第１フレーム３２０にボルトで固定されている。端子プレート３６１の他端側は入力側コネクタ３０１に挿入されており、この端子プレート３６１の他端は蓄電装置１Ｂの入力端子として機能する。
【００６１】
バスバー３７０は、端子プレート３７１と、この端子プレート３７１の一端側に溶接された雌端子体３７２と、端子プレート３７１に固定された取付アーム３７３から構成されている。雌端子体３７２は、アッパープレート１００に装着されたバスバー１５０の雌端子体１５２と全く同じものであり、突起３７２ａ、雌端子３７２ｂを備えている。端子プレート３７１には図示を省略するがバスバー３８０の易曲部３８３ｄと同様の易曲部が形成されていて、雌端子体３７２を取り付けた側が撓み易くされている。バスバー３７０は雌端子体３７２をｐ行ａ列の凹部３２１の中心に配置し、取付アーム３７３を介して、バスバー３８０と同様に第１フレーム３２０にボルトで固定されている。端子プレート３７１の他端側は出力側コネクタ３０２に挿入されており、この端子プレート３７１の他端は蓄電装置１Ｂの出力端子として機能する。
【００６２】
また、第１フレーム３２０の底面の凹部３４０には、電圧検出用コネクタ３１０と各バスバー３６０，３７０，３８０Ａ〜３８０Ｈとを接続するハーネス３１１，３１１・・・が、凹部３４０に設けられた配線フック３４３に沿って所定に配線されており、各ハーネス３１１，３１１・・・の接続端子３１２，３１２・・・は、各バスバー３６０，３７０，３８０Ａ〜３８０Ｈを固定するボルト３３０で共締めされ、電気的に接続されている。
【００６３】
第２フレーム３５０には、第１フレーム３２０に取り付けたときに第１フレーム３２０の各雄端子３８１ｂと各雌端子３８２ｂの中心に対応する部位に、マイナスドライバーを挿通可能にする作業孔が設けられている。図２０に示すように、前記作業孔はキャップ３５１によって塞がれる。第２フレーム３５０は、第１フレーム３２０の底面の凹部３４０に挿入され、第２フレーム３５０に設けた係止孔（図示略）に第１フレーム３２０の係止爪３４２を係止することにより第１フレーム３２０に固定されている。
【００６４】
次に、この蓄電装置１Ｂの組み立て手順を説明する。なお、組み立て前のロアプレート３００においては、全てのねじ３３１の先端をバスバー３６０，３７０，３８０Ａ〜３８０Ｈから離間させておき、また、作業孔にはキャップ３５１を取り付けないでおく。
まず、アッパープレート１００をカバー１３０を下側にして作業台の上に載置する。このときカバー１３０において最上位に位置する高台部１３３ａ，１３３ｂだけが作業台に当接することになる。
【００６５】
そして、アッパープレート１００の第１フレーム１１０の凹部１１２にキャパシタ２の額縁部６を挿入しながら、第１フレーム１１０から露出するバスバー１５０の雄端子１５１ｂあるいは雌端子１５２ｂに、キャパシタ２の負極端子９ｂあるいは正極端子８ｂを嵌合させて、アッパープレート１００に上段１８個のキャパシタ２，２・・・を取り付ける。このときに、バスバー１５０の突起１５１ａ，１５２ａがキャパシタ２の位置決め突起８ａ，９ａに突き当るまでキャパシタ２を押し込む。アッパープレート１００に対するキャパシタ２の軸線方向位置は、突起１５１ａ，１５２ａと位置決め突起８ａ，９ａの突き当てによって決まり、これにより雄端子１５１ｂと負極端子９ｂの嵌合状態、および雌端子１５２ｂと正極端子８ｂの嵌合状態が最適になる。また、各キャパシタ２の額縁部６をアッパープレート１００の凹部１１２に挿入するので、アッパープレート１００に対するキャパシタ２の位置決めを容易に行うことができるとともに、キャパシタ２の回転が防止される。なお、アッパープレート１００に対するキャパシタ２の軸線方向位置は、突起１５１ａ，１５２ａと位置決め突起８ａ，９ａの突き当てによって決まるので、キャパシタ２における額縁部６の先端はアッパープレート１００の凹部１１２の表面に当接しない。
但し、アッパープレート１００においてサーミスタ１２９の設置位置に設けられた樹脂シート１２８はキャパシタ２の天板部４に密着し、これによりキャパシタ２の温度に対応する電気信号を制御基板１４０のキャパシタ温度制御回路に出力することができるようになる。
【００６６】
そして、アッパープレート１００のコネクタ差込口１１１ｂ，１１１ｃにそれぞれコネクタ４００，４１０を接続する。
次に、アッパープレート１００に取り付けた上段１８個のキャパシタ２，２・・・の上に、中間プレート２００を配置する。このとき、アッパープレート１００のコネクタ差込口１１１ａ〜１１１ｃと中間プレート２００のコネクタ２５０ａ，２５０ｂが両プレート１００，２００の長手方向同じ側になるように配置し、且つ、中間プレート２００のコネクタ２５０ａ，２５０ｂが上向きになるようにする。そして、中間プレート２００のフレーム２１０の凹部２１１に上段のキャパシタ２の額縁部６を挿入させる。これにより、上段１８個のキャパシタ２，２・・・と中間プレート２００との相対位置を簡単且つ正確に決定することができ、組み立て後においてキャパシタ２の回転を防止することができる。
【００６７】
次に、中間プレート２００の各凹部２１１の上から下段１８個のキャパシタ２，２・・・を装着する。その際には、中間プレート２００のフレーム２１０の凹部２１１に、下段に配置するキャパシタ２の額縁部６を挿入しながら、フレーム２１１から露出する上段のキャパシタ２の正極端子８ｂあるいは負極端子９ｂに、下段に配置するキャパシタ２の負極端子９ｂあるいは正極端子８ｂを嵌合させ、上下段のキャパシタ２，２の位置決め突起８ａ，９ａを互いに突き当たるまで押し込む。
下段の各キャパシタ２の額縁部６を中間プレート２００の凹部２１１に挿入するので、中間プレート２００に対するキャパシタ２の位置決めを容易に行うことができるとともに、組み立て後のキャパシタ２の回転を防止することができる。
図３１は上下段のキャパシタ２，２を連結した状態を示す図面であり、正極端子８ｂと負極端子９ｂとの嵌合部が中間プレート２００の端子体２２０を貫通し、上下段のキャパシタ２，２のフランジ部７ａ，７ａの間に、中間プレート２００の内側凹部２１４と端子体２２０が挟装される。その結果、端子体２２０が、内側凹部２１４を介して上下段のキャパシタ２，２のフランジ部７ａ，７ａによって挟まれて圧縮され、上下段のキャパシタ２，２は確実に端子体２２０に電気的に接続される。
【００６８】
なお、直列接続された２つのキャパシタ２，２の軸線方向の相対位置は、位置決め突起８ａと位置決め突起９ａの突き当てによって決まり、これにより正極端子８ｂと負極端子９ｂの嵌合状態が最適になる。したがって、上下段のキャパシタ２，２の額縁部６はいずれも中間プレート２００の凹部２１１に挿入されるだけで、額縁部６の先端は中間プレート２００の凹部２１１の表面に当接しない。
そして、コネクタ４００を中間プレート２００のコネクタ２５０ｂに接続し、コネクタ４１０を中間プレート２００のコネクタ２５０ａに接続する。これにより、中間プレート２００の１８個の端子体２２０がアッパープレート１００に内蔵された制御基板１４０のキャパシタ電圧検出回路に電気的に接続される。
【００６９】
次に、下段１８個のキャパシタ２，２・・・の上に、ロアプレート３００を配置する。このとき、アッパープレート１００のコネクタ差込口１１１ａ〜１１１ｃとロアプレート３００の電圧検出用コネクタ３１０が両プレート１００，３００の長手方向同じ側となるように配置する。そして、ロアプレート３００の第１フレーム３２０の凹部３２１に下段のキャパシタ２の額縁部６を挿入させる。これにより、下段１８個のキャパシタ２，２・・・とロアプレート３００との相対位置を簡単且つ正確に決定することができ、これと同時に、下段のキャパシタ２の正極端子８ｂに対してロアプレート３００の雌端子３７２ｂ，３８２ｂを同軸上に配置することができ、下段キャパシタ２の負極端子９ｂに対してロアプレート３００の雄端子３６２ｂ，３８１ｂを同軸上に配置することができる。また、組み立て後においては下段のキャパシタ２の回転を防止することができる。
【００７０】
この状態でロアプレート３００を全体的に下方に押し込む。これにより、下段のキャパシタ２の各正極端子８ｂにロアプレート３００において対応する雌端子３７２ｂまたは３８２ｂを嵌合させることができ、また、下段のキャパシタ２の各負極端子９ｂにロアプレート３００において対応する雄端子３６２ｂまたは３８１ｂを嵌合させることができる。
【００７１】
ところで、アッパープレート１００のバスバー１５０の雄端子１５１ｂあるいは雌端子１５２ｂに、キャパシタ２の負極端子９ｂあるいは正極端子８ｂを嵌合させるときや、上段と下段のキャパシタ２，２の正極端子８ｂと負極端子９ｂを嵌合させるときや、下段のキャパシタ２の正極端子８ｂにロアプレート３００の雌端子３７２ｂ，３８２ｂを嵌合させたり、下段のキャパシタ２の各負極端子９ｂにロアプレート３００雄端子３６２ｂ，３８１ｂを嵌合させるときには、鉛直方向に大きな押し込み力が必要であるが、この蓄電装置１Ｂにおいてはバスバーカバー１７０のボス１７３の先端がカバー１３０の天板部１３２の内面に突き当たっており、且つ、バスバーカバー１７０のボス１７３が制御基板１４０の孔１４１に遊挿されているので、前記押し込み力は、上段のキャパシタ２、バスバー１５０、バスバーカバー１７０、カバー１３０を介して作業台に伝達されるようになり、制御基板１４０に伝達されることは殆どない。したがって、制御基板１４０に衝撃が加わるのを回避することができ、制御基板１４０を保護することができる。
また、組み立て完了後の使用状態において、カバー１３０あるいはロアプレート３００にキャパシタ２の軸線方向の力が加わったときにも同様に機能し、制御基板１４０に力や衝撃が加わるのを防止することができる。
【００７２】
また、キャパシタ２は高さ寸法の公差があるが、キャパシタ２を上下に直列接続すると接続後の全高の公差が倍増する。特に、この蓄電装置１Ｂのように上下接続したキャパシタ群を平面的に多数配置すると、上下接続したキャパシタ群の高さ方向の寸法公差に起因して、正極端子８ｂと雌端子３７２ｂ，３８２ｂの嵌合状態、および、負極端子９ｂと雄端子３６２ｂ，３８１ｂの嵌合状態が不適正になる虞がある。しかしながら、この蓄電装置１Ｂの場合には、ロアプレート３００のバスバー３６０，３７０の端子プレート３６１，３７１、およびバスバー３８０Ａ〜３８０Ｈの接続プレート３８３に可撓性を付与しているので、前述した上下接続のキャパシタ群の高さ方向の寸法公差を吸収することができ、正極端子８ｂと雌端子３７２ｂ，３８２ｂの嵌合状態、および、負極端子９ｂと雄端子３６２ｂ，３８１ｂの嵌合状態を常に適正に調整することができる。そして、その調整はロアプレート３００の第２フレーム３５０に設けられた作業孔にマイナスドライバーを差し込み、第１フレーム３２０に装着されているねじ３３１をねじ込むことにより行うことができる。ねじ３３１をねじ込むと、ねじ３３１の先端でバスバー３６０，３７０の端子プレート３６１，３７１、あるいはバスバー３８０Ａ〜３８０Ｈの接続プレート３８３の端子取付部３８３ｂ、３８３ｃを下方に押し下げることができ、これにより、正極端子８ｂと雌端子３７２ｂ，３８２ｂの嵌合状態、および、負極端子９ｂと雄端子３６２ｂ，３８１ｂの嵌合状態を適正にすることができる。
【００７３】
この後、ロアプレート３００の電圧検出用コネクタ３１０をアッパープレート１００のコネクタ差込口１１１ａに接続する。これにより、ロアプレート３００の１０個のバスバー３６０，３７０，３８０Ａ〜３８０Ｈがアッパープレート１００に内蔵された制御基板１４０のキャパシタ電圧検出回路に電気的に接続される。以上で蓄電装置１Ｂの組み立てが完了する。
【００７４】
このように構成された蓄電装置１Ｂでは、３６個全てのキャパシタ２，２・・・が直列に接続され、極めて高電圧を得ることができる。詳述すると、入力側コネクタ３０１に連なるバスバー３６０に下段ｐ行ｂ列のキャパシタ２が接続され、このキャパシタ２に上段ｐ行ｂ列のキャパシタ２が接続されている。この上段ｐ行ｂ列のキャパシタ２はアッパープレート１００のバスバー１５０を介して上段ｑ行ｂ列のキャパシタ２に接続され、この上段ｑ行ｂ列のキャパシタ２は下段ｑ行ｂ列のキャパシタ２に接続されている。この下段ｑ行ｂ列のキャパシタ２はロアプレート３００のバスバー３８０Ａを介して下段ｑ行ｃ列のキャパシタ２に接続され、この下段ｑ行ｃ列のキャパシタ２は上段ｑ行ｃ列のキャパシタ２に接続されている。同様の手順により、上段と下段のキャパシタ２，２を直列に接続しながら、順次隣の行または列のキャパシタ２に直列に接続されていき、下段ｐ行ａ列のキャパシタ２が末端となり、このキャパシタ２はバスバー３７０を介して出力側コネクタ３０２に接続されている。
【００７５】
そして、前述したようにアッパープレート１００の９個のバスバー１５０，１５０・・・、ロアプレート３００の１０個のバスバー３６０，３７０，３８０Ａ〜３８０Ｈ、および、中間プレート２００の１８個の端子体２２０，２２０・・・が、アッパープレート１００に内蔵された制御基板１４０のキャパシタ電圧検出回路に電気的に接続されているので、蓄電装置１Ｂの総電圧を検出することができるだけでなく、個々のキャパシタ２の電圧や、キャパシタ２を所定個数つないだグループ毎の電圧等を必要に応じて検出することが可能になる。したがって、蓄電装置１Ｂに対する電圧管理を細かく行うことができる。
【００７６】
また、この蓄電装置１Ｂでは上段の１８個のキャパシタ２，２・・・と下段の１８個のキャパシタ２，２・・・の間に中間プレート２００を配置してこれらキャパシタ２を位置決めし且つ回転防止しているので、組み立て完了後においてもキャパシタ２同士の相対的な位置関係がずれなくなり、形状の安定化を図ることができる。また、上段のキャパシタ２，２および下段のキャパシタ２，２・・・は、アッパープレート１００およびロアプレート３００に対しても位置決めされ且つ回転防止されているので、組み立て完了後においてもキャパシタ２同士の相対的な位置関係がずれなくなり、形状の安定化を図ることができる。
また、３６個のキャパシタ２，２・・・の全体を匡体で覆うような構造ではなく、３６個のキャパシタ２，２・・・をアッパープレート１００とロアプレート３００との間に挟装した構造であるので、蓄電装置１Ｂの小型・軽量化を図ることができる。
【００７７】
〔他の実施例〕
なお、この発明は前述した実施例に限られるものではない。
例えば、前述した実施例１および実施例２ではキャパシタ２の軸線方向に沿う接続段数を２段にしているが、３段以上であってもよく、その場合にはｎ段目と（ｎ＋１）段目のキャパシタ２，２間に中間プレートを配置する。
また、実施例２においては、各段に３行６列１８個のキャパシタ２を配置したが、各段におけるキャパシタ２の数および配置形態はこれに限るものではない。例えば、実施例２の蓄電装置１Ｂにおいて上下段とも１行６列とし、計１２個のキャパシタ２で構成してもよい。
【図面の簡単な説明】
【００７８】
【図１】この発明に係る蓄電装置の実施例１の外観斜視図である。
【図２】前記実施例１におけるキャパシタの外観斜視図である。
【図３】前記実施例１におけるアッパープレートの外観斜視図である。
【図４】前記実施例１におけるアッパープレートを表裏ひっくり返して見た外観斜視図である。
【図５】前記実施例１におけるアッパープレートの底面図である。
【図６】図５のＡ−Ａ断面図である。
【図７】図５のＢ−Ｂ断面図である。
【図８】前記実施例１におけるアッパープレートのバスバーの外観斜視図である。
【図９】前記実施例１におけるロアプレートの外観斜視図である。
【図１０】前記実施例１におけるロアプレートの平面図である。
【図１１】前記実施例１におけるロアプレートの底面図である。
【図１２】図１０のＣ矢視側面図である。
【図１３】図１０のＤ−Ｄ断面図である。
【図１４】前記実施例１におけるロアプレートのバスバーの相互位置関係を示す斜視図である。
【図１５】前記実施例１における中間プレートの外観斜視図である。
【図１６】前記実施例１における中間プレートの平面図である。
【図１７】図１６のＥ−Ｅ断面図である。
【図１８】図１６のＦ−Ｆ断面図である。
【図１９】前記実施例１において２つのキャパシタを直結した状態の断面図である。
【図２０】この発明に係る蓄電装置の実施例２の外観斜視図である。
【図２１】前記実施例２におけるキャパシタの平面配置図である。
【図２２】前記実施例２におけるアッパープレートの外観斜視図である。
【図２３】前記実施例２におけるアッパープレートを表裏ひっくり返して見た外観斜視図である。
【図２４】図２３におけるＧ−Ｇ矢視断面図である。
【図２５】図２３におけるＨ−Ｈ矢視断面図である。
【図２６】前記実施例２におけるアッパープレートのバスバーの外観斜視図である。
【図２７】前記実施例２において一部構成を取り外した状態のアッパープレートの斜視図である。
【図２８】前記実施例２における中間プレートの外観斜視図である。
【図２９】前記実施例２における中間プレートの平面図である。
【図３０】前記実施例２における中間プレートの底面図である。
【図３１】前記実施例２において２つのキャパシタを直結した状態の断面図である。
【図３２】前記実施例２におけるロアプレートの外観斜視図である。
【図３３】前記実施例２におけるロアプレートの平面図である。
【図３４】前記実施例２において一部構成を取り外したロアプレートを底面を上にして示す斜視図である。
【図３５】図３３のＩ−Ｉ断面図である。
【図３６】前記実施例２におけるロアプレートのバスバーの外観斜視図である。
【図３７】前記実施例２におけるロアプレートのバスバーの可撓性を説明する図である。
【符号の説明】
【００７９】
１Ａ，１Ｂ  蓄電装置
２  キャパシタ（蓄電素子）
８ｂ正極端子
９ｂ  負極端子
２０  アッパープレート
４０  バスバー（接続部材）
５０  中間プレート
６０  端子体（電圧検出端子）
７０  ロアプレート
９０Ｂ，９０Ｃ  バスバー（接続部材）
１００  アッパープレート
１５０  バスバー（接続部材）
２００  中間プレート
２２０  端子体（電圧検出端子）
３００  ロアプレート
３８０Ａ〜３８０Ｈ  バスバー（接続部材）
【図１】
2006324060.tif 000003
【図２】
2006324060.tif 000004
【図３】
2006324060.tif 000005
【図４】
2006324060.tif 000006
【図５】
2006324060.tif 000007
【図６】
2006324060.tif 000008
【図７】
2006324060.tif 000009
【図８】
2006324060.tif 000010
【図９】
2006324060.tif 000011
【図１０】
2006324060.tif 000012
【図１１】
2006324060.tif 000013
【図１２】
2006324060.tif 000014
【図１３】
2006324060.tif 000015
【図１４】
2006324060.tif 000016
【図１５】
2006324060.tif 000017
【図１６】
2006324060.tif 000018
【図１７】
2006324060.tif 000019
【図１８】
2006324060.tif 000020
【図１９】
2006324060.tif 000021
【図２０】
2006324060.tif 000022
【図２１】
2006324060.tif 000023
【図２２】
2006324060.tif 000024
【図２３】
2006324060.tif 000025
【図２４】
2006324060.tif 000026
【図２５】
2006324060.tif 000027
【図２６】
2006324060.tif 000028
【図２７】
2006324060.tif 000029
【図２８】
2006324060.tif 000030
【図２９】
2006324060.tif 000031
【図３０】
2006324060.tif 000032
【図３１】
2006324060.tif 000033
【図３２】
2006324060.tif 000034
【図３３】
2006324060.tif 000035
【図３４】
2006324060.tif 000036
【図３５】
2006324060.tif 000037
【図３６】
2006324060.tif 000038
【図３７】
2006324060.tif 000039